(57)【要約】【課題】奥行き寸法を大きくすることなく、自立性を付与することができ、かつ、部品数を増加させることなく、外部からの衝撃に対する緩衝効果を有する包装容器を提供する。【解決手段】少なくとも正面１０、背面１１、左側面１２、右側面１３、上面１４、下面１５からなり、粉末化粧料を充填したコンパクトケース２０を包装する包装容器であって、正面１０の下端の両側に設けられた正面足桁部１と、左側面１２及び右側面１３の下端にそれぞれ設けられた側面足桁部２と、背面１１の下端に設けられた背面足桁部３とを備え、正面足桁部１及び側面足桁部２は、それぞれ連結されている。【選択図】図１
2015085960.tif 000002
【特許請求の範囲】
【請求項１】
少なくとも正面、背面、左側面、右側面、上面、下面からなり、粉末化粧料を充填したコンパクトケースを包装する包装容器であって、
前記正面の下端の両側に設けられた正面足桁部と、
前記左側面及び前記右側面の下端にそれぞれ設けられた側面足桁部と、
前記背面の下端に設けられた背面足桁部とを備え、
前記正面足桁部及び前記側面足桁部がそれぞれ連結されている包装容器。
【請求項２】
前記粉末化粧料の硬度は、０．０５Ｎ以上０．６Ｎ以下である請求項１に記載の包装容器。
【請求項３】
前記正面足桁部の幅は、前記側面足桁部の幅より大きい請求項１又は２に記載の包装容器。
【請求項４】
連結されている前記正面足桁部及び前記側面足桁部の下端は、連結の境界を亘って形成された円弧部を有する請求項１〜３のいずれかに記載の包装容器。
【請求項５】
前記正面足桁部、前記側面足桁部、及び前記背面足桁部の下端形状のうち、１つ以上が円弧形状である請求項１〜３のいずれかに記載の包装容器。
【請求項６】
前記正面足桁部、前記側面足桁部、及び前記背面足桁部のうち、１つ以上がテーパを有する請求項１〜５のいずれかに記載の包装容器。
【請求項７】
前記正面の幅が、前記側面の幅より大きい請求項１〜６のいずれかに記載の包装容器。
【請求項８】
連結されている前記正面足桁部及び前記側面足桁部のそれぞれが、左右対称となるように配置されている請求項１〜７のいずれかに記載の包装容器。
【請求項９】
前記背面足桁部の高さは、前記正面足桁部及び前記側面足桁部の高さより高い請求項１〜８のいずれかに記載の包装容器。
【請求項１０】
前記背面足桁部が、前記背面より外側へ反っている請求項１〜９のいずれかに記載の包装容器。
【発明の詳細な説明】
【技術分野】
【０００１】
本発明は、包装容器に関する。
【背景技術】
【０００２】
ファンデーション及びアイシャドウ等の粉末化粧料を充填したコンパクトケース（蓋付き容器）の包装に用いる包装容器（個装箱）は、店頭での限られたスペースに陳列する等のために、自立性を有するものがある。
包装容器に自立性を持たせる手段として、例えば、箱の一面に折れ曲げ部及び切り欠き部を設けて支持部を形成させることにより自立性を付与したものが提案されている（例えば、特許文献１参照）。また、包装容器に自立性を付与する他の手段としては、包装容器において背面の下端を正面よりも短小にして、組立て時に底面が背面上りに傾斜するようにし、且つ背面の下端に足桁部を設けて包装容器を正面の下端と背面の足桁部とで自立性を付与したものが提案されている（例えば、特許文献２参照）。
しかしながら、特許文献１で示した手段では、支持部を形成する面には商品訴求の文言及びデザイン等を施すことができない問題があった。また、特許文献１で示した手段では、支持部を形成することで、奥行き寸法が大きくなるため、店頭で限られたスペースに陳列する際には非常に不利となる問題があった。
特許文献２で示した手段では、包装容器の底面が傾斜しているので、包装容器に収納するコンパクトケースの形状によっては斜めに傾いた状態となってしまう問題があった。
【０００３】
コンパクトケースに充填された粉末化粧料は、物流時の振動や落下による衝撃により、割れやヨレという破損を生じることがある。そこで、粉末化粧料に伝達する衝撃を緩和するために、衝撃に対する緩衝効果を有する容器保持シートを備える包装容器が提案されている（例えば、特許文献３参照）。
しかしながら、特許文献３の包装容器では、衝撃に対する緩衝効果を得るために、部品数が増加するので、それに伴って作業数及びコストの増加を引き起こすという問題があった。
【先行技術文献】
【特許文献】
【０００４】
【特許文献１】特開２００５−４７５２２号公報
【特許文献２】実開昭６０−１６９１１０号公報
【特許文献３】特開２０１０−２０２２４２号公報
【発明の概要】
【発明が解決しようとする課題】
【０００５】
そこで本発明は、上記問題の解決を鑑みたものであり、奥行き寸法を大きくすることなく、自立性を付与することができ、かつ、部品数を増加させることなく、外部からの衝撃に対する緩衝効果を有する包装容器を提供することを課題とする。
【課題を解決するための手段】
【０００６】
本発明者らは、正面足桁部、側面足桁部、及び背面足桁部を所定の条件で配置することによって、上記課題を解決し得ることを見出した。
すなわち、本発明は、少なくとも正面、背面、左側面、右側面、上面、下面からなり、粉末化粧料を充填したコンパクトケースを包装する包装容器であって、前記正面の下端の両側に設けられた正面足桁部と、前記左側面及び前記右側面の下端にそれぞれ設けられた側面足桁部と、前記背面の下端に設けられた背面足桁部とを備え、前記正面足桁部及び前記側面足桁部がそれぞれ連結されている包装容器を提供するものである。
【発明の効果】
【０００７】
本発明によれば、奥行き寸法を大きくすることなく、自立性を付与することができ、かつ、部品数を増加させることなく、外部からの衝撃に対する緩衝効果を有する包装容器を提供することができる。
【図面の簡単な説明】
【０００８】
【図１】本発明の実施の形態に係る包装容器及びコンパクトケースの一態様を示す斜視図である。
【図２】本発明の実施の形態に係る包装容器の展開図である。
【図３】本発明の実施の形態に係る包装容器の正面足桁部の幅と側面足桁部の幅との関係を示す模式的展開図である。
【図４】本発明の実施の形態に係る包装容器の円弧部を示す模式的展開図である。
【図５】本発明の実施の形態に係る包装容器の正面足桁部、側面足桁部、及び背面足桁部の下端形状が円弧形状であることを示す模式的展開図である。
【図６】本発明の実施の形態に係る包装容器の背面足桁部の高さと正面足桁部及び側面足桁部の高さとの関係を示す模式的展開図である。
【図７】本発明の実施の形態に係る包装容器の正面足桁部、側面足桁部、及び背面足桁部がテーパを有することを示す模式的展開図である。
【図８】本発明の実施の形態に係る包装容器の背面足桁部が、背面より外側へ反っていることを示す側面図である。
【図９】本発明の実施例１、比較例１、比較例２に係る化粧料用中皿の形状を示す平面図である。
【図１０】本発明の実施例１、比較例１、比較例２に係る包装容器の正面足桁部の形態を示す平面図である。
【図１１】本発明の実施例２〜６、比較例３に係る化粧料用中皿の形状を示す平面図である。
【発明を実施するための形態】
【０００９】
本発明の実施の形態に係る包装容器は、図１に示すように、少なくとも正面１０、背面１１、左側面１２、右側面１３、上面１４、下面１５からなり、粉末化粧料を充填したコンパクトケース２０を包装する包装容器であって、正面１０の下端の両側に設けられた正面足桁部１と、左側面１２及び右側面１３の下端にそれぞれ設けられた側面足桁部２と、背面１１の下端に設けられた背面足桁部３とを備える。正面足桁部１及び側面足桁部２は、それぞれ連結されている。ここで、「連結」とは、正面足桁部１及び側面足桁部２が連接されていて、解離していない状態をいう。
【００１０】
本発明の実施の形態に係る包装容器の展開図を図２に示す。図２に示す包装容器は、右側面１３、正面１０、左側面１２、背面１１、糊代３０が順次連設されている。正面１０の上辺には、上面１４が連設され、正面１０の下辺には、下面１５が連設されている。そして、上面１４の上辺には、上面係止め部３１が連設され、下面１５の下辺には、下面係止め部３２が連設されている。また、左側面１２及び右側面１３の上辺及び下辺には、それぞれ上面サイドフラップ３３，３４及び下面サイドフラップ３５，３６が連設されている。
なお、正面１０の下端の両側には、正面足桁部１が設けられ、左側面１２及び右側面１３の下端には、それぞれ側面足桁部２が設けられ、背面１１の下端には、背面足桁部３が設けられている。
【００１１】
本発明の包装容器としては、適度な強度や弾性を有し、形状を維持できるものであれば、特に制限するものではなく、合成樹脂や紙類等、化粧品や文具等の日用品の包装に用いられるものが使用できる。包装容器は、印刷をする、商品を見せる様に透明にするといった加工のしやすさから、ポリエステル樹脂（ポリエチレンテレフタレート（ＰＥＴ）、ポリブチレンテレフタレート（ＰＢＴ）等）やポリオレフィン樹脂（ポリエチレン（ＰＥ）、ポリプロピレン（ＰＰ）等）、アクリル樹脂（ポリメタクリル酸メチル（ＰＭＭＡ）等）やポリスチレン樹脂（ＰＳ）等の合成樹脂が好適に用いられる。また包装容器の厚さは任意であるが、０．２ｍｍ以上０．５ｍｍ以下の範囲の厚さのものが好適に用いられる。
【００１２】
コンパクトケース２０に充填する粉末化粧料としては、ベンガラ、酸化鉄、酸化チタン等の色剤、マイカ、タルク等の賦形剤、流動パラフィン等の油剤を含有するものが挙げられる。
コンパクトケース２０に充填する粉末化粧料の硬度は、包装容器が優れた緩衝効果を有することにより、硬度の低い粉末化粧料であっても落下等の衝撃を受けた際にヨレや割れ等を生じることを防止して収容可能であるという観点及び粉末化粧料の感触の観点から、最終製品において０．０５Ｎ以上であることが好ましく、０．１Ｎ以上であることがより好ましく、０．６Ｎ以下であることが好ましく、０．４５Ｎ以下であることがより好ましい。粉末化粧料の硬度の測定は、具体的には、レオメーター（株式会社サン科学製「ＣＯＭＰＡＣ−１００」）を用い、測定条件として、針２ｍｍφ、１ｍｍ針入速度６０ｍｍ／ｍｉｎにて行う。
【００１３】
コンパクトケース２０に充填する粉末化粧料の充填方法は、湿式充填法であっても乾式充填法であってもよい。
湿式充填法によってコンパクトケース２０に充填する粉末化粧料に含有する油剤量は、柔らかい感触を得るという観点から、最終製品中に１５質量％以上であることが好ましく、２０質量％以上であることがより好ましく、５０質量％以下であることが好ましく、４０質量％以下であることがより好ましい。
【００１４】
正面足桁部１及び側面足桁部２の幅を大きくすることで、落下した際に、接地面が大きくなるので、正面足桁部１及び側面足桁部２が受ける衝撃を分散できるため好ましいが、本願発明の正面足桁部１の幅Ｄ１は、図３に示すように、側面足桁部２の幅Ｄ２より大きいことが好ましい。正面足桁部１の幅Ｄ１が側面足桁部２の幅Ｄ２より大きいことによって、下記に示す理由により、部品数を増やさずに衝撃に対する優れた緩衝効果が得られる。
包装容器内では、コンパクトケース２０は、下面サイドフラップ３５，３６が先に接して、次いで下面１５と接している。仮に、側面足桁部２の幅Ｄ２を正面足桁部１の幅Ｄ１より大きくした場合、左側面１２及び右側面１３と下面サイドフラップ３５，３６の罫線が短くなってしまい、衝撃により下面サイドフラップ３５，３６の接続部に亀裂やちぎれが生じやすくなってしまう。一方、正面足桁部１は、直接コンパクトケース２０と接していない点で下面サイドフラップ３５，３６に守られているので、正面足桁部１と下面１５の罫線が短くなっても亀裂やちぎれが生じにくい。また、包装容器を形成した際には下面係止め部３２が差し込まれて遊びが少なくなるので、正面足桁部１と下面１５の罫線が短くなっても亀裂やちぎれが生じにくい。したがって、正面足桁部１の幅Ｄ１が側面足桁部２の幅Ｄ２より大きい方が有利となる。
加えて、緩衝効果の面では、左側面１２及び右側面１３において下面サイドフラップ３５，３６はコンパクトケース２０に接しており、かつ、その面も各々小さいため、側面足桁部２からの力が分散して小さくなることなく、比較的大きな力のまま直接コンパクトケース２０に伝わってしまう。一方で、正面１０においては、下面１５は全面でコンパクトケース２０を受けており、かつ下面サイドフラップ３５，３６を介してコンパクトケース２０を受けているので、力を分散させてコンパクトケース２０に伝わる力を小さくすることができる。したがって、本願発明の包装容器は、正面足桁部１が側面足桁部２よりも衝撃を多く受けることが好ましいので、正面足桁部１の幅Ｄ１が側面足桁部２の幅Ｄ２より大きい方が有利となる。
これらの点は、包装容器の正面１０の幅が左側面１２及び右側面１３の幅より大きいことが好ましく、包装容器の正面１０の幅が左側面１２及び右側面１３の幅より大きい場合により効果を発揮する。上記観点より、正面１０の幅は、左側面１２及び右側面１３の幅の２倍以上であることが好ましい。
【００１５】
正面足桁部１及び側面足桁部２は、連結されて設けられていることによって、正面１０の両角部と背面足桁部３とを支点として、良好な自立性が付与される。また、正面足桁部１及び側面足桁部２が連結されていることで、それぞれが単独である場合と比して耐久性が向上する。正面足桁部１及び側面足桁部２の耐久性が向上することで、落下等による衝撃で破損することなく、衝撃に対する優れた緩衝効果が得られる。
【００１６】
連結されている正面足桁部１及び側面足桁部２のそれぞれが、左右対称となるように配置されていることが好ましい。左右対称となるように連結されている正面足桁部１及び側面足桁部２が配置されることによって、包装容器の左右のバランスを保つことに寄与し、良好な自立性が付与される。さらに、包装容器の下部にかかった力を左右均等に分散することができるので、衝撃に対する優れた緩衝効果が得られる。
【００１７】
連結されている正面足桁部１及び側面足桁部２の下端は、連結の境界を亘って形成された円弧部４０を有することが好ましい。本発明の包装容器は、円弧部４０を有することで、円弧部４０にて力を分散することができ、緩衝効果を増すことができるので、衝撃に対する優れた緩衝効果が得られる。連結されている正面足桁部１及び側面足桁部２の下端に円弧部４０を有する具体例としては、図４（ａ）に示すように、上に凸である円弧部４０を有する形態、図４（ｂ）に示すように、下に凸である円弧部４０を有する形態、図４（ｃ）に示すように、正面足桁部１及び側面足桁部２の全体で下に凸である円弧部４０をなす形態等が挙げられる。
【００１８】
正面足桁部１、側面足桁部２、及び背面足桁部３の下端形状のうち、１つ以上が円弧形状であることが好ましい。正面足桁部１、側面足桁部２、及び背面足桁部３の下端形状が円弧形状であることによって、落下した際に、円弧形状の一箇所（点）にて着地することになり、当該接地点から衝撃を波状的に拡散させることができるので、衝撃に対する優れた緩衝効果が得られる。
正面足桁部１、側面足桁部２、及び背面足桁部３の複数の下端形状が円弧形状であることがより好ましい。正面足桁部１、側面足桁部２、及び背面足桁部３の複数の下端形状が円弧形状であることによって、落下した際に、正面１０、左側面１２及び右側面１３、背面１１の各面の下端に対応した接地点から衝撃を波状的に拡散することができるので、より衝撃を拡散させることができ、衝撃に対する優れた緩衝効果が得られる。
正面足桁部１及び側面足桁部２の下端形状が円弧形状である具体例としては、図５（ａ）に示す形態が挙げられ、背面足桁部３の下端形状が円弧形状である具体例としては、図５（ｂ）に示す形態が挙げられる。
【００１９】
背面足桁部３の高さｈ１は、図６（ａ）及び（ｂ）に示すように、正面足桁部１及び側面足桁部２の高さｈ２より高いことが好ましい。図６（ａ）に示す背面足桁部３の高さｈ１が、図６（ｂ）に示す正面足桁部１及び側面足桁部２の高さｈ２より高いことによって、包装容器が落下した際に、最初に背面足桁部３が地面と接することになる。コンパクトケース２０は、下面１５上及び下面サイドフラップ３５，３６上に配置されることになるので、図２で示した展開図より、下面１５及び下面サイドフラップ３５，３６上と連設されていない背面１１からの衝撃は包装容器の構成的にコンパクトケース２０に及びにくい。以上のことより、背面足桁部３の高さｈ１が、正面足桁部１及び側面足桁部２の高さｈ２より高いことによって、衝撃に対する優れた緩衝効果が得られる。
背面足桁部３の高さｈ１は、自立性や見た目及び緩衝効果の観点から、側面足桁部２の高さｈ２の１．０倍以上１．５倍以下であることが好ましい。
【００２０】
正面足桁部１、側面足桁部２、及び背面足桁部３のうち、１つ以上がテーパを有することが好ましい。正面足桁部１、側面足桁部２、及び背面足桁部３がテーパを有することによって、下方にかかった衝撃を分散し易くすることができ、衝撃に対する優れた緩衝効果が得られると共に、基端部が広いので裂けにくい利点がある。正面足桁部１及び側面足桁部２の下端形状のうち、１つ以上がテーパを有することが、緩衝効果の点ではさらに好ましい。正面足桁部１がテーパ４１を有し、側面足桁部２がテーパ４２を有する具体例としては、図７（ａ）に示す形態が挙げられる。背面足桁部３がテーパ４３を有する具体例としては、図７（ｂ）に示す形態が挙げられる。テーパ４１〜４３は、直線で示したが、曲線であっても構わない。図４（ｃ）、図５（ａ）、図５（ｂ）もテーパを有する一態様である。
背面足桁部３は、図７（ｂ）に示すように、両側にテーパ４３を有することで台形とすることがより好ましい。基端部が広い背面足桁部３が台形であることによって、下部にかかった衝撃を分散し易い利点があると共に、基端部が広いので裂けにくい利点がある。
正面足桁部１、側面足桁部２、及び背面足桁部３がテーパ４１〜４３を有すると共に、円弧部４０を有することで、テーパ４１〜４３による効果と円弧部４０による効果を併せて得ることができ、衝撃に対する優れた緩衝効果が得られる。
また、正面足桁部１、側面足桁部２、及び背面足桁部３がテーパ４１〜４３を有すると共に、下端形状が円弧形状であることで、テーパ４１〜４３による効果と下端形状が円弧形状であることによる効果を併せて得ることができ、衝撃に対する優れた緩衝効果が得られる。
【００２１】
背面足桁部３は、図８に示すように、背面１１より外側へ反っていることが好ましい。背面足桁部３が、背面１１より外側へ反っていることによって、包装容器の前後のバランスを保つことに寄与し、良好な自立性が付与される。さらに、背面足桁部３が背面１１より外側へ反っていることで、包装容器が落下した際に、背面足桁部３で着地する可能性を向上させることができる。背面足桁部３で着地することによって、下部にかかった力を効率よく分散させることができるので、衝撃に対する優れた緩衝効果が得られる。
背面足桁部３が背面１１より外側へ反っている場合は、正面１０側から見たときに、正面足桁部１と重ならない位置にあることが好ましい。背面足桁部３と正面足桁部１が重ならないことにより、正面１０を前面として包装容器を陳列しても、背面足桁部３が正面足桁部１の間にもぐりこむことができ、奥行き寸法も実質的には変わらず隙間のない陳列が可能となる。
【実施例】
【００２２】
以下、本発明を実施例によりさらに詳細に説明するが、本発明はその要旨を越えない限り、以下の実施例に限定されない。
【００２３】
＜湿式充填法＞
（実施例１）
化粧料として、表１に示す処方の粉末化粧料を用意した。なお、表中の単位は質量％である。
【００２４】
【表１】
2015085960.tif 000003
【００２５】
次に、コンパクトケース２０（図１参照）を用意する。コンパクトケース２０は、図９に示すような、Ａ，Ｂ，Ｃ，Ｄの４区画に区分された化粧料用中皿２１を備える。化粧料用中皿２１は、それぞれの区分に上記の粉末化粧料を湿式充填法によって充填し、溶剤を揮発除去して厚さ２．３ｍｍに固形化した。粉末化粧料を化粧料用中皿２１に充填収容した後、化粧料用中皿２１の底部を両面テープで接着して、コンパクトケース２０に収容した。
【００２６】
湿式充填法による粉末化粧料の硬度は、レオメーター（株式会社サン科学製「ＣＯＭＰＡＣ−１００」）を用い、測定条件として、針２ｍｍφ、１ｍｍ針入速度６０ｍｍ／ｍｉｎにて測定した結果、最終製品において０．１８Ｎであった。
【００２７】
次に、コンパクトケース２０を包装容器に収納した。その際の包装容器は、図１０（ａ）に示すように、正面足桁部１が正面１０の下端の両側に設けられ、側面足桁部２と連結されているものである。
【００２８】
（比較例１）
包装容器として、図１０（ｂ）に示すように、正面足桁部１ａが３箇所に設けられていて、正面１０の下端の両側に設けられておらず、側面足桁部２が無いものを用いた以外は、実施例１と同様である。
【００２９】
（比較例２）
包装容器として、図１０（ｃ）に示すように、正面足桁部１ｂが正面１０の下端の両側に設けられておらず、側面足桁部２が無いものを用いた以外は、実施例１と同様である。
【００３０】
［正立落下試験］
上記の実施例１、比較例１、比較例２で得られたコンパクトケース２０を収納した包装容器を用いて、正立落下試験を行った。ここで、正立落下試験とは、包装容器の下面１５を床に向けて落下させる試験のことをいう。
正立落下試験は、落下高さ２０ｃｍから下面１５を床に向けて落下させ、コンパクトケース２０内の粉末化粧料の各区画にヨレ又は割れが生じるまでの落下回数及び区画を記録する。結果を表２に示す。
なお、「ヨレ」とは、粉末化粧料が化粧料用中皿２１からずれて隙間ができてしまう状態をいう。
【００３１】
【表２】
2015085960.tif 000004
【００３２】
表２より、実施例１の包装容器では、比較例１，２の包装容器に比べて、粉末化粧料のヨレ又は割れに至る落下回数が格段に向上していることが分かる。
【００３３】
＜乾式充填法＞
（実施例２）
化粧料として、表３に示す処方の粉末化粧料を用意した。なお、表中の単位は質量％である。
【００３４】
【表３】
2015085960.tif 000005
【００３５】
次に、コンパクトケース２０（図１参照）を用意する。コンパクトケース２０は、図１１に示すような、Ａ，Ｂ，Ｃ，Ｄの４区画に区分された化粧料用中皿２１を備える。化粧料用中皿２１は、それぞれの区分に上記の粉末化粧料を乾式充填法によって充填し、厚さ３．０ｍｍに固形化した。粉末化粧料を化粧料用中皿２１に充填収容した後、化粧料用中皿２１の底部を両面テープで接着して、コンパクトケース２０に収容した。
【００３６】
乾式充填法による粉末化粧料の硬度は、レオメーター（株式会社サン科学製「ＣＯＭＰＡＣ−１００」）を用い、測定条件として、針２ｍｍφ、１ｍｍ針入速度６０ｍｍ／ｍｉｎにて測定した結果、最終製品において０．４０Ｎであった。
【００３７】
次に、コンパクトケース２０を包装容器に収納した。その際の包装容器は、正面足桁部１が正面１０の下端の両側に設けられ、側面足桁部２と連結されているものである。正面足桁部１の幅が５．０ｍｍであり、側面足桁部２の幅が５．０ｍｍである。
【００３８】
（実施例３）
包装容器として、正面足桁部１の幅が７．５ｍｍであるものを用いた以外は、実施例２と同様である。
【００３９】
（実施例４）
包装容器として、正面足桁部１の幅が１５．０ｍｍであるものを用いた以外は、実施例２と同様である。
【００４０】
（実施例５）
包装容器として、正面足桁部１の下端形状が幅５．０ｍｍの円弧形状であるものを用いた以外は、実施例２と同様である。図４（ｃ）に示すが如き形状である。
【００４１】
（実施例６）
包装容器として、正面足桁部１の幅が５．０ｍｍであり、円弧部を有するものを用いた以外は、実施例２と同様である。図５（ａ）に示すが如き形状である。
【００４２】
（比較例３）
包装容器として、正面足桁部１の幅が１０．０ｍｍであり、側面足桁部２が無いものを用いた以外は、実施例２と同様である。
【００４３】
［正立落下試験］
上記の実施例２〜６、比較例３で得られたコンパクトケース２０を収納した包装容器を用いて、正立落下試験を行った。結果を表４に示す。
正立落下試験は、落下高さ２０ｃｍから底面を床に向けて落下させ、コンパクトケース２０内の粉末化粧料にヨレ又は割れが生じるまでの落下回数、及びヨレ又は割れが生じた箇所を記録する。
【００４４】
【表４】
2015085960.tif 000006
【００４５】
表４より、実施例２〜４の結果から、正面足桁部１の幅が大きくなるほど、粉末化粧料のヨレ又は割れに至る落下回数が格段に向上していることが分かる。なお、実施例４では、１２０回以上の正立落下試験を行ってもヨレ又は割れが生じなかった。
また、表４より、実施例５、６の結果から、正面足桁部１に円弧形状及び円弧部を有することで、粉末化粧料のヨレ又は割れに至る落下回数が格段に向上していることが分かる。
【００４６】
上述した実施形態に関し、本発明はさらに以下の態様を開示する。
＜１＞少なくとも正面、背面、左側面、右側面、上面、下面からなり、粉末化粧料を充填したコンパクトケースを包装する包装容器であって、正面の下端の両側に設けられた正面足桁部と、左側面及び右側面の下端にそれぞれ設けられた側面足桁部と、背面の下端に設けられた背面足桁部とを備え、正面足桁部及び側面足桁部がそれぞれ連結されている包装容器。
【００４７】
＜２＞粉末化粧料の硬度は、０．０５Ｎ以上であって０．６Ｎ以下であり、より好ましくは０．１Ｎ以上であって０．４５Ｎ以下である、前記＜１＞に記載の包装容器。
＜３＞粉末化粧料は湿式充填法によって充填されている、前記＜１＞又は＜２＞に記載の包装容器。
＜４＞粉末化粧料に含有する油剤量は、１５質量％以上であって５０質量％以下であり、より好ましく２０質量％以上であって４０質量％以下である、前記＜３＞に記載の包装容器。
＜５＞正面足桁部の幅は、側面足桁部の幅より大きい、前記＜１＞〜＜４＞のいずれかに記載の包装容器。
＜６＞連結されている正面足桁部及び側面足桁部の下端は、連結の境界を亘って形成された円弧部を有する、前記＜１＞〜＜５＞のいずれかに記載の包装容器。
＜７＞下に凸である円弧部を有する、前記＜６＞に記載の包装容器。
＜８＞上に凸である円弧部を有する、前記＜６＞又は＜７＞に記載の包装容器。
＜９＞正面足桁部及び側面足桁部の全体で下に凸である円弧部をなす、前記＜６＞又は＜７＞に記載の包装容器。
＜１０＞正面足桁部、側面足桁部、及び背面足桁部の下端形状のうち、１つ以上が円弧形状である、前記＜１＞〜＜５＞のいずれかに記載の包装容器。
＜１１＞正面足桁部及び側面足桁部の下端形状が円弧形状である、前記＜１０＞に記載の包装容器。
＜１２＞背面足桁部の下端形状が円弧形状である、前記＜１０＞又は＜１１＞に記載の包装容器。
＜１３＞正面足桁部、側面足桁部、及び背面足桁部のうち、１つ以上がテーパを有する、前記＜１＞〜＜１２＞のいずれかに記載の包装容器。
＜１４＞正面足桁部及び側面足桁部の下端形状のうち、１つ以上がテーパを有する、前記＜１３＞いずれかに記載の包装容器。
＜１５＞正面足桁部及び側面足桁部の下端形状のいずれもテーパを有する、前記＜１３＞〜＜１４＞のいずれかに記載の包装容器。
＜１６＞背面足桁部が、両側にテーパを有することで台形形状である、前記＜１３＞〜＜１５＞のいずれかに記載の包装容器。
＜１７＞正面の幅が、側面の幅より大きい、前記＜１＞〜＜１６＞のいずれかに記載の包装容器。
＜１８＞正面の幅が左側面及び右側面の幅の２倍以上である、前記＜１７＞に記載の包装容器。
＜１９＞連結されている正面足桁部及び側面足桁部のそれぞれが、左右対称となるように配置されている、前記＜１＞〜＜１８＞のいずれかに記載の包装容器。
＜２０＞背面足桁部の高さは、正面足桁部及び側面足桁部の高さより高い、前記＜１＞〜＜１９＞のいずれかに記載の包装容器。
＜２１＞背面足桁部の高さが、正面足桁部及び側面足桁部の高さの１．０倍以上であって１．５倍以下である、前記＜２０＞に記載の包装容器。
＜２２＞背面足桁部が、背面より外側へ反っている、前記＜１＞〜＜２１＞のいずれかに記載の包装容器。
＜２３＞正面側から見たとき、背面足桁部と正面足桁部とが重ならない位置に設置されている、前記＜１＞〜＜２２＞のいずれかに記載の包装容器。
＜２４＞左側面及び右側面の下辺には、それぞれ下面サイドフラップが連設されている、前記＜１＞〜＜２３＞のいずれかに記載の包装容器。
＜２５＞包装容器内において、コンパクトケースが、包装容器の下面サイドフラップに先に接し、次いで下面と接している、前記＜２４＞に記載の包装容器。
＜２６＞包装容器の厚さが、０．２ｍｍ以上０．５ｍｍ以下である、前記＜１＞〜＜２５＞のいずれかに記載の包装容器。
【産業上の利用可能性】
【００４８】
本発明の包装容器は、ファンデーション、アイシャドウ、チーク、アイブロウ等の粉末化粧料を収容する各種コンパクトケースに入った商品の包装容器として好適に用いられる。
【符号の説明】
【００４９】
１…正面足桁部
２…側面足桁部
３…背面足桁部
１０…正面
１１…背面
１２…左側面
１３…右側面
１４…上面
１５…下面
２０…コンパクトケース
２１…化粧料用中皿
３０…糊代
３１…上面係止め部
３２…下面係止め部
３３，３４…上面サイドフラップ
３５，３６…下面サイドフラップ
４０…円弧部
４１，４２，４３…テーパ
【図１】
2015085960.tif 000007
【図２】
2015085960.tif 000008
【図３】
2015085960.tif 000009
【図４】
2015085960.tif 000010
【図５】
2015085960.tif 000011
【図６】
2015085960.tif 000012
【図７】
2015085960.tif 000013
【図８】
2015085960.tif 000014
【図９】
2015085960.tif 000015
【図１０】
2015085960.tif 000016
【図１１】
2015085960.tif 000017